(57)【特許請求の範囲】
【請求項１】
基地局のワイヤレス通信の方法であって、
第１のネットワークにおいてビームスイープを実施するための周期性を調節すること、前記ビームスイープは、前記基地局またはユーザ機器（ＵＥ）のうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
マクロ基地局を介して前記第１のネットワークより低いキャリア周波数を有する第２のネットワークを通して、ビームスイープを実施するための前記調節された周期性を示す情報を前記ＵＥに送ることと、
前記調節された周期性で前記ビームスイープを実施することと
を備える、方法。
【請求項２】
前記調節された周期性を示す前記情報は、前記第２のネットワークを介してシステム情報として送られる、
請求項１に記載の方法。
【請求項３】
前記基地局は、ＵＥにサービスし、前記周期性は、前記ＵＥのチャネル品質に基づいて調節され、前記方法は、前記ＵＥと前記基地局との間の前記チャネル品質を決定することをさらに備え、前記周期性は、前記チャネル品質がしきい値未満であるとき、前記ビームスイープを実施する前記周期性を増大させることによって調節される、または、
前記基地局は、ＵＥにサービスし、前記周期性は、前記ＵＥのチャネル品質に基づいて調節され、前記方法は、前記ＵＥと前記基地局との間の前記チャネル品質を決定することをさらに備え、前記周期性は、前記チャネル品質がしきい値よりも大きいとき、前記ビームスイープを実施する前記周期性を低下させることによって調節される、
請求項１に記載の方法。
【請求項４】
前記周期性は、前記ＵＥのハンドオフ状態に基づいて調節され、前記方法は、前記基地局がハンドオフ中に別の基地局からＵＥを受け入れているとき、前記ビームスイープを実施する前記周期性を増大させることをさらに備える、または、
前記周期性は、前記ＵＥのハンドオフ状態に基づいて調節され、前記方法は、前記基地局がハンドオフ中に別の基地局から前記ＵＥを正常に受け入れた後、前記ビームスイープを実施する前記周期性を低下させることをさらに備える、または、
前記周期性は、前記基地局が、ＵＥにサービスする可能性があり得る基地局のセットに関連付けられているかどうかに基づいて調節され、前記方法は、前記基地局が、ＵＥにサービスする可能性があり得る基地局のいずれかのセットに関連付けられているとき、前記ビームスイープを実施する前記周期性を増大させることをさらに備える、または、
前記周期性は、前記基地局が、ＵＥにサービスする可能性があり得る基地局のセットに関連付けられているかどうかに基づいて調節され、前記方法は、前記基地局が、いずれかのＵＥにサービスを提供するための基地局のどのセットにも関連付けられていないとき、前記ビームスイープを実施する前記周期性を低下させることをさらに備える、
請求項１に記載の方法。
【請求項５】
前記基地局は、ＵＥのセットにサービスし、前記ビームスイープを前記実施することは、前記ＵＥのセットにｍ個のビームを送信することを備え、各ビームは、前記基地局のｍ個の異なる送信空間的方向のうちの１つの送信空間的方向で送信される、
請求項１に記載の方法。
【請求項６】
前記基地局は、ＵＥにサービスし、前記ビームスイープを前記実施することは、前記ＵＥからのｎ個のビームを求めてスキャンすることを備え、各ビームは、前記ＵＥのｎ個の異なる送信空間的方向のうちの、ある異なる送信空間的方向に関連付けられる、および、オプションとして、
前記ビームスイープは、第１のネットワークにおいて実施され、前記方法は、
前のビームスイープに基づいて、前記ＵＥと前記基地局との間のチャネル品質を測定することと、
前記チャネル品質を示す情報を管理ノードに送ることと、
それに合わせて調節するべき前記周期性を示す情報を前記管理ノードから受信すること、前記周期性を示す前記情報は、前記測定されたチャネル品質に基づき、前記周期性は、前記周期性を示す前記受信された情報に基づいて調節される、と
をさらに備える、請求項１に記載の方法。
【請求項７】
前記ビームスイープは、第１のネットワークにおいて実施され、前記方法は、
第２のネットワークからタイミング情報を取得すること、前記第１のネットワークは、前記第２のネットワークよりも高いキャリア周波数を有する、と、
前記第２のネットワークから取得された前記タイミング情報に基づいて、前記ビームスイープのタイミングを同期させることと
をさらに備える、請求項１に記載の方法。
【請求項８】
ユーザ機器（ＵＥ）のワイヤレス通信の方法であって、
第１のネットワークにおいてビームスイープを実施するための周期性を示す情報を受信すること、前記情報は、マクロ基地局を介して前記第１のネットワークより低いキャリア周波数を有する第２のネットワークを通して基地局から受信され、前記基地局は、前記マクロ基地局と異なる、と、
前記ビームスイープを実施するための前記周期性を調節すること、前記ビームスイープは、前記基地局または前記ＵＥのうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記調節された周期性で前記ビームスイープを実施することと
を備える、方法。
【請求項９】
前記調節された周期性を示す前記情報は、前記第２のネットワークを介してシステム情報として受信される、
請求項８に記載の方法。
【請求項１０】
前記ビームスイープを前記実施することは、前記基地局にｎ個のビームを送信することを備え、各ビームは、前記ＵＥのｎ個の異なる送信空間的方向のうちの１つの送信空間的方向で送信される、
請求項８に記載の方法。
【請求項１１】
前記ビームスイープを前記実施することは、前記基地局からのｍ個のビームを求めてスキャンすることを備え、各ビームは、前記基地局のｍ個の異なる送信空間的方向のうちの、ある異なる送信空間的方向に関連付けられる、および、オプションとして、
前記方法は、
前のビームスイープに基づいて、前記基地局と前記ＵＥとの間のチャネル品質を測定することと、
前記チャネル品質を示す情報を前記基地局に送ること、前記情報は管理ノードに向けられ、前記周期性を示す前記受信された情報は、前記チャネル品質を示す前記送られた情報に基づく、と
をさらに備える、
請求項８に記載の方法。
【請求項１２】
前記ビームスイープは第１のネットワークにおいて実施され、前記方法は、
第２のネットワークからタイミング情報を取得すること、前記第１のネットワークは、前記第２のネットワークよりも高いキャリア周波数を有する、と、
前記第２のネットワークから取得された前記タイミング情報に基づいて、前記ビームスイープのタイミングを同期させることと
をさらに備える、請求項８に記載の方法。
【請求項１３】
ワイヤレス通信のための装置であって、前記装置は、基地局であり、
第１のネットワークにおいてビームスイープを実施するための周期性を調節するための手段、前記ビームスイープは、前記基地局またはユーザ機器（ＵＥ）のうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
マクロ基地局を介して前記第１のネットワークより低いキャリア周波数を有する第２のネットワークを通して、ビームスイープを実施するための前記調節された周期性を示す情報を前記ＵＥに送るための手段と、
前記調節された周期性で前記ビームスイープを実施するための手段と
を備える装置。
【請求項１４】
ワイヤレス通信のための装置であって、前記装置はユーザ機器（ＵＥ）であり、
第１のネットワークにおいてビームスイープを実施するための周期性を示す情報を受信するための手段、前記情報は、マクロ基地局を介して前記第１のネットワークより低いキャリア周波数を有する第２のネットワークを通して基地局から受信され、前記基地局は、前記マクロ基地局と異なる、と、
前記ビームスイープを実施するための前記周期性を調節するための手段、前記ビームスイープは、前記基地局または前記ＵＥのうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記調節された周期性で前記ビームスイープを実施するための手段と
を備える、装置。
【請求項１５】
コンピュータプログラムであって、コンピュータによって実行されると、前記コンピュータに、請求項１から１２のうちのいずれか一項に記載の方法を実行させる命令を備える、コンピュータプログラム。
【発明の詳細な説明】
【関連出願の相互参照】
【０００１】
[0001]本出願は、その全体が参照により本明細書に明確に組み込まれる、２０１４年６月１０日に出願された「ＣＯＯＲＤＩＮＡＴＥＤ  ＯＰＥＲＡＴＩＯＮＳ  ＯＦ  ＭＩＬＬＩＭＥＴＥＲ  ＷＡＶＥＬＥＮＧＴＨ  ＷＩＲＥＬＥＳＳ  ＡＣＣＥＳＳ  ＮＥＴＷＯＲＫＳ」と題する米国特許出願第１４／３０１，３１２号の利益を主張する。
【技術分野】
【０００２】
[0002]本開示は、概して通信システムに関し、より詳細には、ミリメートル波長ワイヤレスアクセスネットワークの協調動作に関する。
【背景技術】
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を利用することができる。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションシステム（ＵＭＴＳ）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、２ＧＨｚキャリア周波数またはその近くで動作するＬＴＥ技術のさらなる改善が必要である。好ましくは、これらの改善は、他の多元接続技術、およびこれらの技術を採用する電気通信規格に適用可能であるべきである。
【０００５】
[0005]モバイルブロードバンドに対する高まる要求を満たすための１つのやり方は、ＬＴＥに加え、ミリメートル波長スペクトルを使用することであろう。ただし、ミリメートル波長無線周波数帯を使う通信は、極めて高い経路損失と短距離とを伴う。ビームフォーミングは、極高経路損失と短距離とを補償するのに使われ得る。ミリメートル波長無線周波数帯において動作するＵＥ向けのシームレスであり連続するカバレージを提供するためのビームフォーミング技法および方法が、現在必要とされている。
【発明の概要】
【０００６】
[0006]本開示のある態様では、方法、コンピュータプログラム製品、および装置が提供される。本装置は基地局であり得る。基地局は、ビームスイープを実施するための周期性を調節する。ビームスイープは、基地局またはユーザ機器（ＵＥ）のうちの一方による、複数の異なる送信空間的方向での、ビームの複数の送信、および基地局またはＵＥのうちの一方に対する他方による、複数の異なるスキャン空間的方向での、ビーム送信の複数のスキャンである。さらに、基地局は、ビームスイープを実施するための調節された周期性を示す情報を送る。さらに、基地局は、調節された周期性で、ビームスイープを実施する。
【０００７】
[0007]本開示のある態様では、基地局は、ビームスイープを実施するための周期性を調節するための手段を含む。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。基地局は、ビームスイープを実施するための調節された周期性を示す情報を送るための手段をさらに含む。基地局は、調節された周期性でビームスイープを実施するための手段をさらに含む。
【０００８】
[0008]本開示のある態様では、基地局は、メモリと、メモリに結合された少なくとも１つのプロセッサとを含む。少なくとも１つのプロセッサは、ビームスイープを実施するための周期性を調節するように構成される。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。少なくとも１つのプロセッサは、ビームスイープを実施するための調節された周期性を示す情報を送るようにさらに構成される。少なくとも１つのプロセッサは、調節された周期性でビームスイープを実施するようにさらに構成される。
【０００９】
[0009]本開示のある態様では、コンピュータ可読媒体上に記憶されるとともに、少なくとも１つのプロセッサ上で実行されると、少なくとも１つのプロセッサに、ビームスイープを実施するための周期性を調節させるコードを含むコンピュータプログラム製品。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。さらに、コードは、少なくとも１つのプロセッサに、ビームスイープを実施するための調節された周期性を示す情報を送らせる。さらに、コードは、少なくとも１つのプロセッサに、調節された周期性でビームスイープを実施させる。
【００１０】
[0010]本開示のある態様では、方法、コンピュータプログラム製品、および装置が提供される。本装置はＵＥであり得る。ＵＥは、ビームスイープを実施するための周期性を示す情報を基地局から受信する。さらに、ＵＥは、ビームスイープを実施するための周期性を調節する。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。さらに、ＵＥは、調節された周期性でビームスイープを実施する。
【００１１】
[0011]本開示のある態様では、ＵＥは、ビームスイープを実施するための周期性を示す情報を基地局から受信するための手段を含む。ＵＥは、ビームスイープを実施するための周期性を調節するための手段をさらに含む。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。ＵＥは、調節された周期性でビームスイープを実施するための手段をさらに含む。
【００１２】
[0012]本開示の一態様では、ＵＥは、メモリと、メモリに結合された少なくとも１つのプロセッサとを含む。少なくとも１つのプロセッサは、ビームスイープを実施するための周期性を示す情報を基地局から受信するように構成される。少なくとも１つのプロセッサは、ビームスイープを実施するための周期性を調節するようにさらに構成される。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。少なくとも１つのプロセッサは、調節された周期性でビームスイープを実施するようにさらに構成される。
【００１３】
[0013]本開示のある態様では、コンピュータ可読媒体上に記憶されるとともに、少なくとも１つのプロセッサ上で実行されると、少なくとも１つのプロセッサに、ビームスイープを実施するための周期性を示す情報を基地局から受信させるコードを含むコンピュータプログラム製品。さらに、コードは、少なくとも１つのプロセッサに、ビームスイープを実施するための周期性を調節させる。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。さらに、コードは、少なくとも１つのプロセッサに、調節された周期性でビームスイープを実施させる。
【図面の簡単な説明】
【００１４】
【図１】ネットワークアーキテクチャの例を示す図。
【図２】アクセスネットワークの例を示す図。
【図３】アクセスネットワーク中の発展型ノードＢおよびユーザ機器の例を示す図。
【図４】ミリメートル波長ワイヤレスアクセスネットワークの協調動作に関連した例示的な方法を示す図。
【図５】基地局のワイヤレス通信の例示的な方法のフローチャート。
【図６】ＵＥのワイヤレス通信の例示的な方法のフローチャート。
【図７】例示的な（準）ミリメートル派基地局装置中の異なるモジュール／手段／構成要素間のデータフローを示すデータフロー図。
【図８】処理システムを採用する（準）ミリメートル派基地局装置のためのハードウェア実装形態の例を示す図。
【図９】例示的なＵＥ装置中の異なるモジュール／手段／構成要素間のデータフローを示すデータフロー図。
【図１０】処理システムを使用するＵＥ装置のためのハードウェア実装の例を示す図。
【発明を実施するための形態】
【００１５】
[0024]添付の図面に関して以下に記載する詳細な説明は、様々な構成を説明することを意図し、本明細書で説明する概念が実施され得る唯一の構成を表す意図はない。この詳細な説明は、様々な概念の完全な理解を与えるための具体的な詳細を含む。ただし、これらの概念はこれらの具体的な詳細なしに実施され得ることが当業者には明らかであろう。いくつかの事例では、よく知られている構造および構成要素は、そのような概念を不明瞭にすることを避けるためにブロック図の形態で示される。
【００１６】
[0025]ここで、様々な装置および方法を参照しながら電気通信システムのいくつかの態様が提示される。これらの装置および方法は、以下の発明を実施するための形態で説明され、様々なブロック、モジュール、構成要素、回路、ステップ、プロセス、アルゴリズムなど（「要素」と総称される）によって添付の図面に示される。これらの要素は、電子ハードウェア、コンピュータソフトウェア、またはそれらの任意の組合せを使用して実装され得る。そのような要素がハードウェアとして実装されるのか、それともソフトウェアとして実装されるのかは、特定の適用例および全体的なシステムに課された設計制約に依存する。
【００１７】
[0026]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実施するように構成された他の好適なハードウェアがある。処理システム内の１つまたは複数のプロセッサがソフトウェアを実行することができる。ソフトウェアは、ソフトウェア、ファームウェア、ミドルウェア、マイクロコード、ハードウェア記述言語と呼ばれるか、または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１８】
[0027]したがって、１つまたは複数の例示的な実施形態では、説明される機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶されるか、または符号化され得る。コンピュータ可読媒体はコンピュータ記憶媒体を含む。記憶媒体は、コンピュータによってアクセスされ得る任意の利用可能な媒体であってよい。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）もしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る、任意の他の媒体を備えることができる。上記の組合せもコンピュータ可読媒体の範囲に含まれるべきである。
【００１９】
[0028]図１は、ネットワークアーキテクチャ１００を示す図である。ネットワークアーキテクチャ１００は、１つまたは複数のユーザ機器（ＵＥ）１０２と、発展型ＵＭＴＳ地上無線アクセスネットワーク（Ｅ−ＵＴＲＡＮ）１０４と、発展型パケットコア（ＥＰＣ）１１０とを含むＬＴＥネットワークアーキテクチャを含む。ネットワークアーキテクチャ１００は、ｍｍＷ基地局１３０と１つまたは複数のＵＥ１０２とを含むミリメートル波長（ｍｍＷ）ネットワークをさらに含む。ＬＴＥネットワークアーキテクチャは、発展型パケットシステム（ＥＰＳ）と呼ばれることがある。ＥＰＳは、１つまたは複数のＵＥ１０２と、Ｅ−ＵＴＲＡＮ１０４と、ＥＰＣ１１０と、事業者のインターネットプロトコル（ＩＰ）サービス１２２とを含み得る。ＥＰＳは他のアクセスネットワークと相互接続することができるが、簡単にするために、それらのエンティティ／インターフェースは図示されていない。図示のように、ＥＰＳはパケット交換サービスを提供するが、当業者が容易に諒解するように、本開示全体にわたって提示される様々な概念は、回線交換サービスを提供するネットワークに拡張され得る。
【００２０】
[0029]Ｅ−ＵＴＲＡＮは、発展型ノードＢ（ｅＮＢ）１０６と、他のｅＮＢ１０８と、マルチキャスト協調エンティティ（ＭＣＥ）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ））を決定する。ＭＣＥ１２８は別個のエンティティ、またはｅＮＢ１０６の一部であり得る。ｅＮＢ１０６は、基地局、ノードＢ、アクセスポイント、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを提供する。ＵＥ１０２の例としては、セルラーフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲームコンソール、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合もある。
【００２１】
[0030]ｅＮＢ１０６はＥＰＣ１１０に接続される。ＥＰＣ１１０は、モビリティ管理エンティティ（ＭＭＥ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ）１２６と、パケットデータネットワーク（ＰＤＮ）ゲートウェイ１１８とを含み得る。ＭＭＥ１１２は、ＵＥ１０２とＥＰＣ１１０との間のシグナリングを処理する制御ノードである。一般に、ＭＭＥ１１２はベアラおよび接続の管理を行う。すべてのユーザＩＰパケットは、サービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りと他の機能とを提供する。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し開始するために使用され得、ＭＢＭＳ送信をスケジュールし配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００２２】
[0031]図２は、ＬＴＥネットワークアーキテクチャにおけるアクセスネットワーク２００の例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であってよい。１つまたは複数のｍｍＷ基地局２１２は、セル２０２のうちの１つまたは複数と重複するセルラーカバレージ２１４を有し得る。ｍｍＷ基地局２１２は、ＵＥ２０６およびマクロｅＮＢ２０４と通信することができる。マクロｅＮＢ２０４は各々、それぞれのセル２０２に割り当てられ、セル２０２内のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービス用ゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最も小さいカバレージエリアを指すことがあり、および／またはｅＮＢサブシステムサービングは特定のカバレージエリアである。さらに、「ｅＮＢ」、「基地局」、および「セル」という用語は、本明細書では互換的に使用され得る。
【００２３】
[0032]アクセスネットワーク２００によって用いられる変調方式および多元接続方式は、導入されている特定の電気通信規格に応じて異なり得る。ＬＴＥ適用例では、周波数分割複信（ＦＤＤ）と時分割複信（ＴＤＤ）の両方をサポートするために、ＤＬ上でＯＦＤＭが使用され、ＵＬ上でＳＣ−ＦＤＭＡが使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを利用して、移動局にブロードバンドインターネットアクセスを提供する。また、これらの概念は、広帯域ＣＤＭＡ（Ｗ−ＣＤＭＡ（登録商標））とＴＤ−ＳＣＤＭＡなどのＣＤＭＡの他の変形形態とを利用するユニバーサル地上波無線アクセス（ＵＴＲＡ）、ＴＤＭＡを利用するモバイル通信用グローバルシステム（ＧＳＭ（登録商標））、ならびに、ＯＦＤＭＡを利用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭにも拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２４】
[0033]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、異なるデータストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々は、そのＵＥ２０６に宛てられた１つまたは複数のデータストリームを復元することが可能になる。ＵＬ上では、各ＵＥ２０６は、空間的にプリコーディングされたデータストリームを送信し、これにより、ｅＮＢ２０４は、空間的にプリコーディングされた各データストリームのソースを識別できるようになる。
【００２５】
[0034]空間多重化は、概して、チャネル状態が良好なときに使用される。チャネル状態があまり好ましくないとき、送信エネルギーを１つまたは複数の方向に集中させるためにビームフォーミングが使用され得る。このことは、複数のアンテナを通じた送信用にデータを空間的にプリコーディングすることによって実現され得る。セルのエッジにおいて良好なカバレージを実現するために、送信ダイバーシティと組み合わせてシングルストリームビームフォーミング送信が使用され得る。
【００２６】
[0035]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」をもたらす。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＤＦＴ拡散ＯＦＤＭ信号の形でＳＣ−ＦＤＭＡを使用することができる。
【００２７】
[0036]図３は、アクセスネットワーク中でＵＥ６５０と通信している基地局６１０のブロック図である。基地局６１０は、ｅＮＢまたはｍｍＷ基地局であってよい。ＤＬでは、コアネットワークからの上位レイヤパケットが、コントローラ／プロセッサ６７５に与えられる。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００２８】
[0037]送信（ＴＸ）プロセッサ６１６は、物理レイヤのための様々な信号処理機能を実装する。信号処理機能は、ＵＥ６５０における前方誤り訂正（ＦＥＣ）と、様々な変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ））に基づく信号コンスタレーションへのマッピングとを容易にするための、コーディングとインターリービングとを含む。次いで、コーディングされ変調されたシンボルは、並列ストリームに分割される。各ストリームは、次いで、ＯＦＤＭサブキャリアにマッピングされ、時間領域および／または周波数領域において基準信号（たとえば、パイロット）と多重化され、次いで、時間領域ＯＦＤＭシンボルストリームを搬送する物理チャネルを生成するために、逆高速フーリエ変換（ＩＦＦＴ）を用いて互いと合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用される場合がある。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームで無線周波数（ＲＦ）キャリアを変調し得る。
【００２９】
[0038]ＵＥ６５０において、各受信機６５４ＲＸは、そのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６は物理レイヤの様々な信号処理機能を実装する。ＲＸプロセッサ６５６は、ＵＥ６５０に宛てられた空間ストリームを復元するために、情報に対して空間処理を実施し得る。複数の空間ストリームがＵＥ６５０に宛てられる場合には、それらの空間ストリームはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域にコンバートする。周波数領域信号は、ＯＦＤＭ信号のサブキャリアごとに別個のＯＦＤＭシンボルストリームを備える。各サブキャリア上のシンボルと、基準信号とは、基地局６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上で基地局６１０によって最初に送信されたデータと制御信号とを復元するために復号され、デインターリーブされる。データおよび制御信号は、次いで、コントローラ／プロセッサ６５９に与えられる。
【００３０】
[0039]コントローラ／プロセッサ６５９は、プログラムコードとデータとを記憶するメモリ６６０に関連付けられ得る。メモリ６６０は、コンピュータ可読媒体と呼ばれることがある。ＵＬにおいて、コントローラ／プロセッサ６５９は、コアネットワークからの上位レイヤパケットを復元するために、トランスポートチャネルと論理チャネルとの間の逆多重化と、パケットリアセンブリと、暗号解読（decipher）と、ヘッダ解凍（decompression）と、制御信号処理とを提供する。上位レイヤパケットは、次いで、高位プロトコルレイヤを表すデータシンク６６２に与えられる。また、様々な制御信号が処理のためにデータシンク６６２に与えられ得る。コントローラ／プロセッサ６５９は、ＨＡＲＱ演算をサポートするために肯定応答（ＡＣＫ）および／または否定応答（ＮＡＣＫ）プロトコルを使用して誤り検出も担当する。
【００３１】
[0040]ＵＬでは、データソース６６７は、コントローラ／プロセッサ６５９に上位レイヤパケットを与えるために使用される。データソース６６７は高位プロトコルレイヤを表す。基地局６１０によるＤＬ送信に関して説明した機能と同様に、コントローラ／プロセッサ６５９は、基地局６１０による無線リソース割振りに基づいて、ヘッダ圧縮と、暗号化と、パケットセグメント化および並べ替えと、論理チャネルとトランスポートチャネルとの間の多重化とを行う。コントローラ／プロセッサ６５９はまた、ＨＡＲＱ演算と、紛失パケットの再送信と、基地局６１０へのシグナリングとを担当する。
【００３２】
[0041]基地局６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３３】
[0042]ＵＬ送信は、ＵＥ６５０における受信機機能に関して説明した方法と同様の方法で基地局６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。
【００３４】
[0043]コントローラ／プロセッサ６７５は、プログラムコードとデータとを記憶するメモリ６７６と関連付けられ得る。メモリ６７６は、コンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、暗号解読と、ヘッダ復元と、制御信号処理とを行う。コントローラ／プロセッサ６７５からの上位レイヤパケットは、コアネットワークに与えられ得る。コントローラ／プロセッサ６７５はまた、ＨＡＲＱ演算をサポートするためにＡＣＫおよび／またはＮＡＣＫプロトコルを使用する誤り検出を担当する。
【００３５】
[0044]基地局６１０がｍｍＷ基地局である場合、基地局６１０は、アナログおよび／またはデジタルビームフォーミングを実施するためのハードウェアを含み得る。さらに、ＵＥ６５０は、アナログおよび／またはデジタルビームフォーミングを実施するためのハードウェアを含み得る。
【００３６】
[0045]極高周波（ＥＨＦ：Extremely high frequency）は、電磁スペクトルにおけるＲＦの一部である。ＥＨＦは、３０ＧＨｚ〜３００ＧＨｚの範囲と、１ミリメートルと１０ミリメートルとの間の波長とを有する。その帯域内の電波は、ミリメートル波（ｍｍＷ）と呼ばれ得る。準ｍｍＷは、１００ミリメートルの波長をもつ３ＧＨｚの周波数まで下方に伸び得る（超高周波（ＳＨＦ：super high frequency）帯域は、３ＧＨｚと３０ＧＨｚとの間に伸び、センチメートル波とも呼ばれる）。本明細書における開示はｍｍＷを参照するが、本開示は準ｍｍＷにも適用されることを理解されたい。さらに、本明細書における開示はｍｍＷ基地局に言及するが、本開示は準ｍｍＷ基地局にも適用されることを理解されたい。ミリメートル波長ＲＦチャネルは、極めて高い経路損失と短距離とを有する。ミリメートル波長スペクトルにおいて有用な通信ネットワークを構築するために、極高経路損失を補償するのに、ビームフォーミング技法が使われ得る。ビームフォーミング技法は、ＲＦビームを狭い方向においてより遠くまで伝播させるために、ＲＦエネルギーをその方向に集束させる。ビームフォーミング技法を使うと、ミリメートル波長スペクトルにおける見通し外（ＮＬＯＳ）ＲＦ通信は、ＵＥに到達するのに、ビームの反射および／または回折に依拠し得る。ＵＥの動きまたは環境の変化（たとえば、障害物、湿度、雨など）により、方向がブロックされた場合、ビームは、ＵＥに到達することができない場合がある。したがって、連続するシームレスなカバレージをＵＥが有することを保証するために、可能な限り多くの異なる方向での複数のビームが利用可能であればよい。
【００３７】
[0046]連続するシームレスなカバレージを提供するために、ＵＥの付近にあるいくつかのｍｍＷ基地局の各々は、ＵＥと基地局との間のチャネルを測定し、ＵＥに到達するために基地局が送信することができる最良ビーム方向を見つければよい。さらに、基地局の各々は、どのｍｍＷ基地局が最良ビーム方向を有するかを決定するために、他のｍｍＷ基地局と協調することができる。さらに、基地局の各々は、最良ビームの深刻な減衰を引き起こし得る突然の変化の場合に、２次ビームに備えることができる。
【００３８】
[0047]各ＵＥに対して、ＵＥの付近にあるｍｍＷ基地局は、そのＵＥ向けのアクティブセットを形成し得る。アクティブセット用のアンカーノードが、アクティブセット中のｍｍＷ基地局を協調させるために選ばれ得る。アンカーノードは、ｍｍＷ基地局であっても、そうでなくてもよい。アンカーノードは、ＵＥにサービスするために、アクティブセット中の特定の基地局からの特定の方向を選べばよい。その特定の基地局からのその特定の方向のビームがブロックされる（または深刻に減衰される）場合、アンカーノードは、ＵＥをカバーされたままにするために、別のビームを選べばよい。アクティブセットは、ＵＥの移動性に基づいて発展または適応し得る。アンカーノードは、ＵＥがいくつかのｍｍＷ基地局に近づき、他のｍｍＷ基地局から離れると、アクティブセットにｍｍＷ基地局を追加および／または削除してよい。さらに、アクティブセットにより、アンカーノードは、ハンドオフを実施するようにｍｍＷ基地局を協調させることができる。アクティブセットは、ＵＥをカバーし得る複数の基地局からのビームを探索し、追跡することができる。協調は、たとえば、最良ビームを選択するように、突然の深刻な減衰の場合にビームを変えるように、ハンドオフを実施するように、アクティブセット中のノードの間で実施され得る。
【００３９】
[0048]絶えず変化するワイヤレス環境におけるモバイルＵＥのためのシームレスであり連続するカバレージを提供するためのビームフォーミング技法および方法について、後で述べる。
【００４０】
[0049]図４は、ｍｍＷワイヤレスアクセスネットワークの協調動作に関連付けられた例示的な方法を示す図解７００である。ｍｍＷ基地局７０４、ならびに他のｍｍＷ基地局７０６、７１０は、ＥＨＦまたは準ＥＨＦスペクトルにおいて第１のネットワークを通して動作し得る。ｍｍＷ基地局７０４は、マクロ基地局／ｅＮＢ７０２から同期／タイミング情報７３４を受信し得る。ＵＥ７１２も、ｅＮＢ７０２から同期／タイミング情報７２４を受信し得る。ｍｍＷ基地局７０４およびＵＥ７１２は、それぞれ、より低いキャリア周波数（たとえば、３ＧＨｚ未満）で動作する第２のネットワーク（たとえば、ＬＴＥネットワーク）を通して、同期／タイミング情報７３４および７２４を受信し得る。ｍｍＷ基地局７０４およびＵＥ７１２の各々は、受信した同期／タイミング情報に基づいて、ビームスイープのタイミングを同期させればよい。ビームスイープのタイミングは、同期／タイミング情報に関連付けられたタイミング基準７６８からのタイミングオフセット７６６であり得る。
【００４１】
[0050]ｍｍＷ基地局７０４は、ｅＮＢ７０２に構成情報７２２を送る。構成情報７２２は、ビームスイープ期間、ビームスイープについての周期性、および／またはｅＮＢ７０２の同期／タイミング基準７６８からのタイミングオフセット７６６を示す情報を含み得る。ＵＥ７１２は、ｅＮＢ７０２から受信したシステム情報７３６中で構成情報を受信し得る。システム情報７３６は、より低いキャリア周波数のネットワークを通して受信され得る。受信した構成情報に基づいて、ＵＥ７１２は、そのビームスイープ構成を、ｍｍＷ基地局７０４と一致するように調節する（７１８）。
【００４２】
[0051]ｍｍＷ基地局７０４のタイミングおよび構成情報を使って、ＵＥ７１２は、ｍｍＷ基地局７０４とのビームスイープ７２０を実施する。ビームスイープ７２０は、ｍｍＷ基地局ビームスイープブロードキャスト期間７６２中および／またはＵＥビームスイープブロードキャスト期間７６４中に実施され得る。ｍｍＷ基地局ビームスイープブロードキャスト期間７６２は、アクティブセット内のすべてのｍｍＷ基地局に対して共通であり得る。ＵＥビームスイープブロードキャスト期間７６４は、アクティブセットによってサービスされるＵＥに対して共通であり得る。
【００４３】
[0052]ビームスイープ７２０の場合、ｍｍＷ基地局７０４は、ブロードキャスト期間７６２中に送信をし得る。図解７５０を参照すると、ビームスイープブロードキャスト期間７６２において、ｍｍＷ基地局７０４は、ｍ個のビームを複数の異なる方向において送信する。ビームスイープブロードキャスト期間７６２中、ＵＥ７１２は、ｎ個の異なる受信方向において、ｍｍＷ基地局７０４からのビーム送信をリッスン／スキャンする。アナログビームフォーミングを用いたビーム送信をリッスン／スキャンするとき、ＵＥ７１２は、ｎ個の異なる受信方向の各々において、ｍ個のビーム方向の各ビーム方向をリッスン／スキャンすればよい（合計でｍ＊ｎ回のスキャン）。代替として、デジタルビームフォーミングを用いたビーム送信をリッスン／スキャンするとき、ＵＥ７１２は、ｍ個のビーム方向の各ビーム方向をリッスン／スキャンし、ｍ回の送信（合計でｍ回のスキャン）のｎ個の異なる受信方向に対する受信信号を決定するために、異なる重み（フェーズおよび／または振幅変化）を適用すればよい。代替的または追加的に、ビームスイープ７２０の場合、ＵＥ７１２は、ビームスイープブロードキャスト期間７６４中に送信をしてよい。図解７４０を参照すると、ビームスイープブロードキャスト期間７６４において、ＵＥ７１２は、ｎ個のビームを複数の異なる方向において送信をする。ビームスイープブロードキャスト期間７６４中、ｍｍＷ基地局７０４は、ｍ個の異なる受信方向において、ＵＥ７１２からのビーム送信をリッスン／スキャンする。アナログビームフォーミングを用いたビーム送信をリッスン／スキャンするとき、ｍｍＷ基地局７０４は、ｍ個の異なる受信方向の各々において、ｎ個のビーム方向の各ビーム方向をリッスン／スキャンすればよい（合計でｍ＊ｎ回のスキャン）。代替として、デジタルビームフォーミングを用いたビーム送信をリッスン／スキャンするとき、ｍｍＷ基地局７０４は、ｎ個のビーム方向の各ビーム方向をリッスン／スキャンし、ｎ回の送信（合計でｎ回のスキャン）のｍ個の異なる受信方向に対する受信信号を決定するために、異なる重み（フェーズおよび／または振幅変化）を適用すればよい。
【００４４】
[0053]ＵＥ７１２は、ｍｍＷ基地局７０６および７１０など、他のｍｍＷ基地局とのビームスイープを実施することができる。ＵＥ７１２は、各ｍｍＷ基地局向けの各ビーム方向組合せに関連したチャネル品質を決定することができる。チャネル品質は、基準信号受信電力（ＲＳＲＰ）、基準信号受信品質（ＲＳＲＱ）、または信号対干渉プラス雑音比（ＳＩＮＲ）のうちの１つまたは複数を含み得る。さらに、ｍｍＷ基地局７０４は、他のＵＥとのビームスイープを実施することができる。ｍｍＷ基地局７０４は、各ＵＥ向けの各ビーム方向組合せに関連したチャネル品質を決定することができる。ｍｍＷ基地局７１０は、ｍｍＷ基地局７０４を含むアクティブセット用のアンカーノードであると想定する。アンカーノードは、管理ノードと呼ばれることもある。アンカーノードは、特定のアクティブセットについて、時間とともに変化し得る。ＵＥ７１２はその後、アンカーノード７１０にチャネル品質情報７３８を送ればよい。ｍｍＷ基地局７０４も、アンカーノード７１０にチャネル品質情報７３０を送り得る。チャネル品質情報７３０、７３８は、アンカーノード７１０に直接または間接的に送られ得る。たとえば、ＵＥ７１２は、そのチャネル品質情報をｅＮＢ７０２に送信すればよく、ｅＮＢ７０２は次いで、チャネル品質情報を、より低キャリアのネットワークを介してアンカーノード７１０に送ってよい。別の例として、ｍｍＷ基地局７０４は、そのチャネル品質情報をｅＮＢ７０２に送ればよく、ｅＮＢ７０２は次いで、チャネル品質情報を、より低キャリアのネットワークを介してアンカーノード７１０に送ってよい。
【００４５】
[0054]チャネル品質情報および／または他の情報に基づいて、アンカーノード７１０は、ｍｍＷ基地局７０４についてのビームスイープの周期性を決定することができる。図解７６０を参照すると、アンカーノード７１０は、ｍｍＷ基地局７０４向けの各タイミング周期７６８内のブロードキャスト期間の数を増大／減少させ得る（図解７６０では、ただ１つのｍｍＷ基地局ビームスイープブロードキャスト期間７６２および１つのＵＥビームスイープブロードキャスト期間７６４が、各タイミング周期７６８中に示されている）。アンカーノード７１０は、受信したチャネル品質情報、ＵＥ７１２のハンドオフ状態、またはｍｍＷ基地局７０４が、１つもしくは複数のＵＥにサービスすることに関連したアクティブセット中にあるかどうかのうちの１つまたは複数に基づいて、ビームスイープ７２０を実施するための周期性を決定することができる。たとえば、ＵＥ７１２が厳しいワイヤレスチャネル環境にある場合、アンカーノード７１０は、ＵＥ７１２およびｍｍＷ基地局７０４についてより頻繁に最良ビーム方向が決定され得るように、ビームスイープ７２０の周期性を増大させればよい。別の例として、ＵＥ７１２が、７２６において、ハンドオフ中にｍｍＷ基地局７０６からｍｍＷ基地局７０４へ移動している場合、アンカーノード７１０は、ハンドオフ移行を容易に、ビームスイープ７２０の周期性を増大させればよく、ハンドオフが正常に完了された後、ビームスイープ７２０の周期性を低下させればよい。さらに別の例として、ｍｍＷ基地局が、どのＵＥにサービスするためのアクティブセット中にもない場合、アンカーノード７１０は、エネルギーを節約するために、ビームスイープ７２０の周期性を低下させればよい。アンカーノード７１０は、決定された周期性を示す情報７３２をｍｍＷ基地局７０４に送ってよい。したがって、アンカーノード７１０は、アンカーノード７１０に関連付けられたアクティブセット中のｍｍＷ基地局についてのビームスイープ周期性を動的に制御することができる。受信された周期性情報７３２に基づいて、ｍｍＷ基地局７０４は、ビームスイープ７２０を実施するための周期性を調節してよい（７１６）。その後、ｍｍＷ基地局７０４は、上で論じたように、調節された周期性を示す情報を構成情報７２２内で送ってよい。
【００４６】
[0055]図５は、基地局のワイヤレス通信の例示的な方法のフローチャート８００である。この方法は、ｍｍＷ基地局７０４などの（準）ｍｍＷ基地局によって実施され得る。ブロック８１２において、基地局は、ビームスイープを実施するための周期性を調節する。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。たとえば、図４を参照すると、ｍｍＷ基地局７０４は、ビームスイープ７２０を実施するための周期性を調節する（７１６）。図解７５０に示すように、ビームスイープは、ｍｍＷ基地局７０４による、複数の異なる送信空間的方向での、ビームの複数の送信、およびＵＥ７１２による、複数の異なるスキャン空間的方向での、ビーム送信の複数のスキャンであり得る。代替として、図解７４０に示すように、ビームスイープは、ＵＥ７１２による、複数の異なる送信空間的方向での、ビームの複数の送信、およびｍｍＷ基地局７０４による、複数の異なるスキャン空間的方向での、ビーム送信の複数のスキャンであり得る。
【００４７】
[0056]ブロック８１４において、基地局は、ビームスイープを実施するための調節された周期性を示す情報を送る。たとえば、図４を参照すると、ｍｍＷ基地局７０４は、ビームスイープを実施するための調節された周期性を示す情報７２２を送る。調節された周期性は、システム情報７３６として、ｅＮＢ７０２を通してＵＥ７１２に送られ得る。
【００４８】
[0057]ブロック８１６において、基地局は、調節された周期性でビームスイープを実施する。たとえば、図４を参照すると、ｍｍＷ基地局７０４は、調節された周期性でビームスイープ７２０を実施する。上で論じたように、一構成（図解７５０参照）では、ビームスイープを実施することは、ＵＥのセットにｍ個のビームを送信することを含み得る。各ビームは、基地局のｍ個の異なる送信空間的方向のうちの１つの送信空間的方向において送信される。別の構成（図解７４０参照）では、ビームスイープを実施することは、ＵＥからのｎ個のビームをスキャンすることを含み得る。各ビームは、ＵＥのｎ個の異なる送信空間的方向のうちの、ある異なる送信空間的方向に関連付けられる。
【００４９】
[0058]上で論じたように、ビームスイープは、第１のネットワークにおいて実施されてよく、調節された周期性を示す情報は、第２のネットワークにおいて送られてよい。第１のネットワークは、第２のネットワークよりも高いキャリア周波数を有する。さらに、調節された周期性を示す情報は、システム情報として、第２のネットワークを介して送られ得る。たとえば、図４を参照すると、ビームスイープ７２０は、第１のネットワーク（たとえば、ｍｍＷネットワーク）において実施されてよく、調節された周期性を示す情報７２２は、第２のネットワーク（たとえば、ＬＴＥネットワーク）において送られてよい。第１のネットワークは、第２のネットワークよりも高いキャリア周波数を有する。たとえば、第１のネットワークは、３０ＧＨｚと３００ＧＨｚ（ＥＨＦ帯域）との間の、ならびにより広くは、３ＧＨｚと３００ＧＨｚ（ＥＨＦ帯域および準ＥＨＦ帯域であって、準ＥＨＦ帯域は、ＥＨＦ帯域と、ＳＨＦ帯域の一部分とを含む）との間のキャリア周波数を有し得る。さらに、第２のネットワークは、３ＧＨｚ未満のキャリア周波数を有し得る。概して、第１のネットワークは、ｘ  ＧＨｚと３００ＧＨｚとの間のキャリア周波数を有し得る。一構成では、ｘは３０ＧＨｚである。別の構成では、ｘは３ＧＨｚと３０ＧＨｚとの間である。そのような構成において、第２のネットワークは、ｘ  ＧＨｚ未満のキャリア周波数を有する。ｍｍＷ基地局７０４は、調節された周期性を示す情報７２２を、システム情報７３６として、ｅＮＢ７０２を介して第２のネットワークを通して送ってよい。
【００５０】
[0059]一構成では、基地局はＵＥにサービスし、ブロック８１２において、周期性はＵＥのチャネル品質に基づいて調節される。ブロック８０６において、基地局は、ＵＥと基地局との間のチャネル品質を決定する。ブロック８１２において、基地局は、チャネル品質がしきい値未満であるとき、ビームスイープを実施する周期性を増大させることによって、周期性を調節する。基地局は、チャネル品質がしきい値よりも大きいとき、ビームスイープを実施する周期性を低下させることによって、周期性を調節する。たとえば、図４を参照すると、ｍｍＷ基地局７０４はＵＥ７１２にサービスする。ｍｍＷ基地局７０４は、ＵＥ７１２のチャネル品質に基づいて周期性を調節することができる（７１６）。ｍｍＷ基地局７０４は、前のビームスイープに基づいて、ＵＥ７１２とｍｍＷ基地局７０４との間のチャネル品質を決定することができる。ｍｍＷ基地局７０４は、チャネル品質がしきい値未満であるとき、ビームスイープ７２０を実施する周期性を増大させることによって、周期性を調節することができる。ｍｍＷ基地局７０４は、チャネル品質がしきい値よりも大きいとき、ビームスイープ７２０を実施する周期性を低下させることによって、周期性を調節することができる。
【００５１】
[0060]一構成では、ブロック８１２において、周期性は、ＵＥのハンドオフ状態に基づいて調節される。そのような構成において、基地局は、基地局がハンドオフ中に別の基地局からＵＥを受け入れているとき、ビームスイープを実施する周期性を増大させ、基地局がハンドオフ中に別の基地局からＵＥを正常に受け入れた後、ビームスイープを実施する周期性を低下させればよい。たとえば、図４を参照すると、ｍｍＷ基地局７０４は、ＵＥ７１２のハンドオフ状態に基づいて、周期性を調節することができる。ｍｍＷ基地局７０４は、ｍｍＷ基地局７０４がハンドオフ中にソースｍｍＷ基地局（たとえば、ｍｍＷ基地局７０６）からＵＥ７１２を受け入れているとき、ビームスイープを実施する周期性を増大させ、ｍｍＷ基地局７０４がソースｍｍＷ基地局からＵＥ７１２を正常に受け入れた後、ビームスイープを実施する周期性を低下させればよい。
【００５２】
[0061]一構成では、ブロック８１２において、周期性は、基地局が、ＵＥにサービスする可能性があり得る基地局のセットに関連付けられているかどうかに基づいて調節される。そのような構成において、基地局は、基地局が、ＵＥにサービスする可能性があり得る基地局のいずれかのセットに関連付けられているとき、ビームスイープを実施する周期性を増大させてよく、基地局が、いずれかのＵＥにサービスを提供するための基地局のどのセットにも関連付けられていないとき、ビームスイープを実施する周期性を低下させてよい。たとえば、図４を参照すると、ｍｍＷ基地局７０４は、ｍｍＷ基地局７０４が、ＵＥにサービスする可能性があり得る基地局のセット（アクティブセット）に関連付けられているかどうかに基づいて、周期性を調節することができる。ｍｍＷ基地局７０４は、ｍｍＷ基地局７０４が、ＵＥにサービスする可能性があり得るｍｍＷ基地局のいずれかのセットに関連付けられているとき、ビームスイープを実施する周期性を増大させてよく、ｍｍＷ基地局７０４が、いずれかのＵＥにサービスを提供するための基地局のどのセットにも関連付けられていないとき、ビームスイープを実施する周期性を低下させてよい。
【００５３】
[0062]ブロック８０６において、基地局は、ＵＥと基地局との間のチャネル品質を決定する。基地局が、ビームスイープにおいてビームを送信すると（図解７５０参照）、基地局は、ＵＥからチャネル品質情報を受信し得る。ＵＥが、ビームスイープにおいてビームを送信すると、基地局は、ビームスイープに基づいて、ＵＥと基地局との間のチャネル品質を測定することができる。その後、ブロック８０８において、基地局は、チャネル品質を示す情報を管理ノードに送る。たとえば、図４を参照すると、ｍｍＷ基地局７０４は、アンカー／管理ノード７１０にチャネル品質情報７３０を送る。ブロック８１０において、基地局は、それに合わせて調節するべき周期性を示す情報を管理ノードから受信する。周期性を示す情報は、測定されたチャネル品質に基づき得る。周期性は、周期性を示す受信情報に基づいて調節され得る。たとえば、図４を参照すると、ｍｍＷ基地局７０４は、それに合わせて調節するべき周期性を示す情報７３２を、アンカー／管理ノード７１０から受信する。周期性を示す情報７３２は、測定されたチャネル品質に基づき得る。ｍｍＷ基地局７０４は、周期性を示す受信された情報７３２に基づいて周期性を調節してよい（７１６）。
【００５４】
[0063]ブロック８０２において、基地局は、第２のネットワークからタイミング情報を取得し得る。ブロック８０４において、基地局は、第２のネットワークから取得したタイミング情報に基づいて、第１のネットワークを通して、ビームスイープのタイミングを同期させてよい。第１のネットワークは、第２のネットワークよりも高いキャリア周波数を有する。たとえば、図４を参照すると、ｍｍＷ基地局７０４は、第２のネットワークからタイミング情報７３４（７６８）を取得し得る。ｍｍＷ基地局７０４は、第２のネットワークから取得したタイミング情報７３４に基づいて、第１のネットワークを通して、ビームスイープ７２０のタイミングを同期させてよい。ビームスイープ７２０のタイミングを同期させるために、ｍｍＷ基地局７０４は、ビームスイープブロードキャスト期間７６２、７６４について、ｅＮＢ７０２から受信したタイミング７６８に対するタイミングオフセット７６６を適用すればよい。
【００５５】
[0064]図６は、ＵＥのワイヤレス通信の例示的な方法のフローチャート９００である。ブロック９１０において、ＵＥは、ビームスイープを実施するための周期性を示す情報を基地局から受信する。ブロック９１２において、ＵＥは、ビームスイープを実施するための周期性を調節する。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。ブロック９１４において、ＵＥは、調節された周期性でビームスイープを実施する。たとえば、図４を参照すると、ＵＥ７１２は、ビームスイープを実施するための周期性を示す情報７３６を受信する。ＵＥ７１２は、ｍｍＷ基地局７０４から直接、またはｅＮＢ７０２からを介して間接的に、のいずれかで、ｍｍＷ基地局７０４から情報７３６を受信し得る。ＵＥ７１２は、ビームスイープ７２０を実施するための周期性を調節する（７１８）。ビームスイープ７２０は、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。ＵＥは、調節された周期性でビームスイープ７２０を実施する。
【００５６】
[0065]一構成では、ブロック９１０において、ＵＥは、調節された周期性を示す情報を第２のネットワークにおいて受信し、ブロック９１４において、ＵＥは、第１のネットワークにおいてビームスイープを実施する。第１のネットワークは、第２のネットワークよりも高いキャリア周波数を有する。ブロック９１０において、ＵＥは、調節された周期性を示す情報を、第２のネットワークを介してシステム情報として受信し得る。
【００５７】
[0066]一構成では、ブロック９１４において、ＵＥは、基地局にｎ個のビームを送信することによって、ビームスイープを実施する。そのような構成において、各ビームは、ＵＥのｎ個の異なる送信空間的方向のうちの１つの送信空間的方向において送信される。別の構成では、ＵＥは、基地局からのｍ個のビームを求めてスキャンすることによって、ビームスイープを実施する。そのような構成において、各ビームは、基地局のｍ個の異なる送信空間的方向のうちの、ある異なる送信空間的方向に関連付けられる。
【００５８】
[0067]ブロック９０６において、ＵＥは、前のビームスイープに基づいて、基地局とＵＥとの間のチャネル品質を測定する。ブロック９０８において、ＵＥは、チャネル品質を示す情報を基地局に送る。情報は、管理ノードに向けられる。ＵＥが、ブロック９０８において、チャネル品質を示す情報を基地局に送るとき、ブロック９１０における、周期性を示す受信情報は、チャネル品質を示す送られた情報に基づいてよい。たとえば、図４を参照すると、ＵＥ７１２は、前のビームスイープに基づいて、ｍｍＷ基地局７０４とＵＥ７１２との間のチャネル品質を測定することができる。ＵＥ７１２は、チャネル品質を示す情報７３８をｍｍＷ基地局７０４に送ってよい。情報は、アンカー／管理ノード７１０に向けられる。チャネル品質情報を送った後、ＵＥ７１２は、送られたチャネル品質情報に周期性が基づく、周期性を示す情報７３６を受信し得る。
【００５９】
[0068]ブロック９０２において、ＵＥは、第２のネットワークからタイミング情報を取得する。ブロック９０４において、ＵＥは、第２のネットワークから取得したタイミング情報に基づいて、第１のネットワークを通して、ビームスイープのタイミングを同期させてよい。第１のネットワークは、第２のネットワークよりも高いキャリア周波数を有する。たとえば、図４を参照すると、ＵＥ７１２は、第２のネットワークからタイミング情報７２４（７６８）を取得する。ＵＥ７１２は、第２のネットワークから取得したタイミング情報７２４に基づいて、第１のネットワークを通して、ビームスイープ７２０のタイミングを同期させる。ビームスイープ７２０のタイミングを同期させるために、ＵＥ７１２は、ビームスイープブロードキャスト期間７６２、７６４について、ｅＮＢ７０２から受信されたタイミング７６８に対するタイミングオフセット７６６を適用すればよい。
【００６０】
[0069]図７は、例示的な（準）ｍｍＷ基地局装置１００２中の異なるモジュール／手段／構成要素間のデータフローを示すデータフロー図１０００である。基地局１００２は、ビームスイープを実施するための周期性を調節するように構成されたビームスイープ周期性モジュール１００８を含む。ビームスイープは、基地局１００２またはＵＥ１０５０のうちの一方による、複数の異なる送信空間的方向での、ビームの複数の送信、および基地局１００２またはＵＥ１０５０のうちの一方に対する他方による、複数の異なるスキャン空間的方向での、ビーム送信の複数のスキャンである。基地局１００２は、ビームスイープを実施するための調節された周期性を示す情報を送るように構成された送信モジュール１０１０をさらに含む。基地局１００２は、受信モジュール１００４をさらに含む。受信モジュール１００４（図解７４０参照）および／または送信モジュール１０１０（図解７５０参照）は、調節された周期性でビームスイープを実施するように構成される。
【００６１】
[0070]受信モジュール１００４／送信モジュール１０１０は、第１のネットワークにおいてビームスイープを実施するように構成され得る。送信モジュール１００４は、調節された周期性を示す情報を第２のネットワークにおいて（たとえば、ｅＮＢ１０６０を通して）送るように構成され得る。第１のネットワークは、第２のネットワークよりも高いキャリア周波数を有する。送信モジュール１０１０は、調節された周期性を示す情報を、第２のネットワークを介してシステム情報として送るように構成され得る。
【００６２】
[0071]基地局１００２がＵＥ１０５０にサービスするとき、ビームスイープ周期性モジュール１００８は、ＵＥ１０５０のチャネル品質に基づいて周期性を調節するように構成され得る。基地局１００２は、ＵＥ１０５０と基地局１００２との間のチャネル品質を決定するように構成されたチャネル品質決定モジュール１００６をさらに含み得る。ビームスイープ周期性モジュール１００８は、チャネル品質がしきい値未満であるとき、ビームスイープを実施する周期性を増大させることによって、周期性を調節するように構成され得る。ビームスイープ周期性モジュール１００８は、チャネル品質がしきい値よりも大きいとき、ビームスイープを実施する周期性を低下させることによって、周期性を調節するように構成され得る。
【００６３】
[0072]ビームスイープ周期性モジュール１００８は、ＵＥ１０５０のハンドオフ状態に基づいて周期性を調節するように構成され得る。ビームスイープ周期性モジュール１００８は、基地局１００２がハンドオフ中に別の基地局からＵＥ１０５０を受け入れているとき、ビームスイープを実施する周期性を増大させるように、および基地局１００２がハンドオフ中に別の基地局からＵＥ１０５０を正常に受け入れた後、ビームスイープを実施する周期性を低下させるように構成され得る。
【００６４】
[0073]ビームスイープ周期性モジュール１００８は、基地局１００２が、ＵＥにサービスする可能性があり得る基地局のセット（アクティブセット）に関連付けられているかどうかに基づいて、周期性を調節するように構成され得る。ビームスイープ周期性モジュール１００８は、基地局１００２が、ＵＥにサービスする可能性があり得る基地局のいずれかのセットに関連付けられているとき、ビームスイープを実施する周期性を増大させるように、および基地局１００２が、いずれかのＵＥにサービスを提供するための基地局のどのセットにも関連付けられていないとき、ビームスイープを実施する周期性を低下させるように構成され得る。
【００６５】
[0074]上で論じたように、基地局１００２は、ＵＥのセットにサービスし得る。送信モジュール１０１０は、ＵＥのセットにｍ個のビームを送信することによって、ビームスイープを実施するように構成され得る。各ビームは、基地局１００２のｍ個の異なる送信空間的方向のうちの１つの送信空間的方向において送信される。代替的または追加的に、受信モジュール１００４は、ＵＥ１０５０からのｎ個のビームをスキャンすることによって、ビームスイープを実施するように構成され得る。各ビームは、ＵＥ１０５０のｎ個の異なる送信空間的方向のうちの、ある異なる送信空間的方向に関連付けられる。
【００６６】
[0075]チャネル品質決定モジュール１００６は、前のビームスイープに基づいて、ＵＥ１０５０と基地局１００２との間のチャネル品質を測定するように構成され得る。送信モジュール１０１０は、チャネル品質を示す情報を管理ノード１０７０に送るように構成され得る。受信モジュール１００４は、それに合わせて調節するべき周期性を示す情報を管理ノード１０７０から受信するように構成され得る。周期性を示す情報は、測定されたチャネル品質に基づき得る。周期性は、周期性を示す受信情報に基づいて調節され得る。
【００６７】
[0076]受信モジュール１００４および／または送信モジュール１０１０は、第１のネットワークにおいてビームスイープを実施するように構成され得る。受信モジュール１００４は、第２のネットワークからタイミング情報を（たとえば、ｅＮＢ１０６０から）取得するように構成され得る。第１のネットワークは、第２のネットワークよりも高いキャリア周波数を有する。受信モジュール１００４および／または送信モジュール１０１０は、第２のネットワークから取得したタイミング情報に基づいて、ビームスイープのタイミングを同期させるように構成され得る。
【００６８】
[0077]本装置は、図５の上述のフローチャート中のアルゴリズムのブロックの各々を実施する追加のモジュールを含み得る。したがって、図５の上述のフローチャート中の各ブロックは１つのモジュールによって実施されてよく、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００６９】
[0078]図８は、処理システム１１１４を採用する（準）ミリメートル波基地局装置１００２’のためのハードウェア実装形態の一例を示す図である。処理システム１１１４は、バス１１２４によって全体的に表される、バスアーキテクチャを用いて実現され得る。バス１１２４は、処理システム１１１４の特定の適用例および全体的な設計制約に応じて、任意の数の相互接続バスとブリッジとを含み得る。バス１１２４は、プロセッサ１１０４によって表される１つまたは複数のプロセッサおよび／またはハードウェアモジュールと、モジュール１００４、１００６、１００８、および１０１０と、コンピュータ可読媒体／メモリ１１０６とを含む様々な回路を互いにリンクする。バス１１２４はまた、タイミングソース、周辺装置、電圧調整器、および電力管理回路など、様々な他の回路をリンクし得るが、これらの回路は当技術分野においてよく知られており、したがって、これ以上説明しない。
【００７０】
[0079]処理システム１１１４はトランシーバ１１１０に結合され得る。トランシーバ１１１０は、１つまたは複数のアンテナ１１２０に結合される。トランシーバ１１１０は、送信媒体を介して様々な他の装置と通信するための手段を提供する。トランシーバ１１１０は、１つまたは複数のアンテナ１１２０から信号を受信し、受信信号から情報を抽出し、抽出された情報を処理システム１１１４に与える。さらに、トランシーバ１１１０は、処理システム１１１４から情報を受信し、受信した情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されると、処理システム１１１４に、任意の特定の装置のための上記で説明した様々な機能を実施させる。コンピュータ可読媒体／メモリ１１０６はまた、ソフトウェアを実行するときにプロセッサ１１０４によって操作されるデータを記憶するために使用され得る。処理システムは、モジュール１００４、１００６、１００８、および１０１０のうちの少なくとも１つをさらに含む。それらのモジュールは、プロセッサ１１０４中で動作するか、コンピュータ可読媒体／メモリ１１０６中に常駐する／記憶されたソフトウェアモジュールであるか、プロセッサ１１０４に結合された１つまたは複数のハードウェアモジュールであるか、またはそれらの何らかの組合せであり得る。処理システム１１１４は、ｅＮＢ６１０の構成要素であってよく、メモリ６７６、ならびに／またはＴＸプロセッサ６１６、ＲＸプロセッサ６７０、およびコントローラ／プロセッサ６７５のうちの少なくとも１つを含んでもよい。
【００７１】
[0080]一構成では、ワイヤレス通信のための装置１００２／１００２’は、基地局であり、ビームスイープを実施するための周期性を調節するための手段を含む。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。基地局は、ビームスイープを実施するための調節された周期性を示す情報を送るための手段をさらに含む。基地局は、調節された周期性でビームスイープを実施するための手段をさらに含む。一構成では、基地局はＵＥにサービスし、周期性はＵＥのチャネル品質に基づいて調節される。そのような構成において、基地局は、ＵＥと基地局との間のチャネル品質を決定するための手段をさらに含み得る。調節するための手段は、チャネル品質がしきい値未満であるとき、ビームスイープを実施する周期性を増大させることによって、周期性を調節するように構成され得る。調節するための手段は、チャネル品質がしきい値よりも大きいとき、ビームスイープを実施する周期性を低下させることによって、周期性を調節するように構成され得る。一構成では、周期性は、ＵＥのハンドオフ状態に基づいて調節される。そのような構成において、調節するための手段は、基地局がハンドオフ中に別の基地局からＵＥを受け入れているとき、ビームスイープを実施する周期性を増大させるように構成され得る。さらに、そのような構成において、調節するための手段は、基地局がハンドオフ中に別の基地局からＵＥを正常に受け入れた後、ビームスイープを実施する周期性を低下させることによって周期性を調節するように構成され得る。一構成では、周期性は、基地局が、ＵＥにサービスする可能性があり得る基地局のセットに関連付けられているかどうかに基づいて調節される。そのような構成において、調節するための手段は、基地局が、ＵＥにサービスする可能性があり得る基地局のいずれかのセットに関連付けられているとき、ビームスイープを実施する周期性を増大させるように構成され得る。さらに、そのような構成において、調節するための手段は、基地局が、いずれかのＵＥにサービスを提供するための基地局のどのセットにも関連付けられていないとき、ビームスイープを実施する周期性を低下させるように構成され得る。一構成では、基地局はＵＥのセットにサービスし、ビームスイープを実施するための手段は、ＵＥのセットにｍ個のビームを送信するように構成される。各ビームは、基地局のｍ個の異なる送信空間的方向のうちの１つの送信空間的方向において送信される。一構成では、基地局は、ＵＥにサービスし、ビームスイープを実施するための手段は、ＵＥからのｎ個のビームをスキャンするように構成される。各ビームは、ＵＥのｎ個の異なる送信空間的方向のうちの、ある異なる送信空間的方向に関連付けられる。一構成では、基地局は、前のビームスイープに基づいて、ＵＥと基地局との間のチャネル品質を測定するための手段と、チャネル品質を示す情報を管理ノードに送るための手段と、それに合わせて調節するべき周期性を示す情報を管理ノードから受信するための手段とをさらに含む。周期性を示す情報は、測定されたチャネル品質に基づき得る。周期性は、周期性を示す受信情報に基づいて調節され得る。一構成では、ビームスイープは第１のネットワークにおいて実施され、基地局は、第２のネットワークからタイミング情報を取得するための手段をさらに含む。第１のネットワークは、第２のネットワークよりも高いキャリア周波数を有する。そのような構成において、基地局は、第２のネットワークから取得したタイミング情報に基づいて、ビームスイープのタイミングを同期させるための手段をさらに含む。
【００７２】
[0081]上述の手段は、上述の手段によって列挙される機能を実施するように構成された、装置１００２、および／または装置１００２’の処理システム１１１４の上述のモジュールのうちの１つまたは複数であり得る。上述されたように、処理システム１１１４は、ＴＸプロセッサ６１６と、ＲＸプロセッサ６７０と、コントローラ／プロセッサ６７５とを含む場合がある。したがって、一構成では、上述の手段は、上述の手段によって具陳された機能を実施するように構成された、ＴＸプロセッサ６１６、ＲＸプロセッサ６７０、およびコントローラ／プロセッサ６７５であり得る。
【００７３】
[0082]図９は、例示的なＵＥ装置１２０２における異なるモジュール／手段／構成要素の間のデータフローを示すデータフロー図１２００である。ＵＥ１２０２は、ＵＥ１２０２にサービスする基地局１２５０から、ビームスイープを実施するための周期性を示す情報を受信するように構成された受信モジュール１２０４を含む。ＵＥ１２０２は、ビームスイープを実施するための周期性を調節するように構成されたビームスイープ周期性モジュール１２０８をさらに含む。ビームスイープは、基地局１２５０またはＵＥ１２０２のうちの一方による、複数の異なる送信空間的方向での、ビームの複数の送信、および基地局１２５０またはＵＥ１２０２のうちの一方に対する他方による、複数の異なるスキャン空間的方向での、ビーム送信の複数のスキャンである。ビームスイープ周期性モジュール１２０８は、受信モジュール１２０４および／または送信モジュール１２１０が、調節された周期性でビームスイープを実施するように、受信モジュール１２０４および／または送信モジュール１２１０と通信する。
【００７４】
[0083]受信モジュール１２０４および／または送信モジュール１２１０は、第１のネットワークにおいてビームスイープを実施するように構成され得る。受信モジュール１２０４は、調節された周期性を示す情報を第２のネットワークにおいて（たとえば、ｅＮＢ１２６０を通して）受信するように構成され得る。第１のネットワークは、第２のネットワークよりも高いキャリア周波数を有する。受信モジュール１２０４は、調節された周期性を示す情報を、第２のネットワークを介してシステム情報として受信ように構成され得る。送信モジュール１２１０は、基地局にｎ個のビームを送信することによって、ビームスイープを実施するように構成され得る。各ビームは、ＵＥのｎ個の異なる送信空間的方向のうちの１つの送信空間的方向において送信される。受信モジュール１２０４は、基地局からのｍ個のビームを求めてスキャンすることによって、ビームスイープを実施するように構成され得る。各ビームは、基地局のｍ個の異なる送信空間的方向のうちの、ある異なる送信空間的方向に関連付けられる。
【００７５】
[0084]ＵＥ１２０２は、前のビームスイープに基づいて、基地局１２５０とＵＥ１２０２との間のチャネル品質を測定するように構成されたチャネル品質決定モジュール１２０６をさらに含み得る。送信モジュール１２１０は、チャネル品質を示す情報を基地局に送るように構成され得る。情報は、管理ノードに向けられ得る。周期性を示す受信情報は、送られたチャネル品質を示す情報に基づき得る。
【００７６】
[0085]送信モジュール１２１０は、第１のネットワークにおいてビームスイープを実施するように構成され得る。受信モジュール１２０４は、第２のネットワークからタイミング情報を（たとえば、ｅＮＢ１２６０から）取得するように構成され得る。第１のネットワークは、第２のネットワークよりも高いキャリア周波数を有する。ビームスイープ周期性モジュール１２０８は、第２のネットワークから取得したタイミング情報に基づいて、ビームスイープのタイミングを同期させるように構成され得る。
【００７７】
[0086]本装置は、図６の上述のフローチャート中のアルゴリズムのブロックの各々を実施する追加のモジュールを含み得る。したがって、図６の上述のフローチャート中の各ブロックは１つのモジュールによって実施されてよく、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００７８】
[0087]図１０は、処理システム１３１４を使用するＵＥ装置１２０２’向けのハードウェア実装形態の一例を示す図解１３００である。処理システム１３１４は、バス１３２４によって全体的に表される、バスアーキテクチャを用いて実現され得る。バス１３２４は、処理システム１３１４の特定の適用例および全体的な設計制約に応じて、任意の数の相互接続バスとブリッジとを含み得る。バス１３２４は、プロセッサ１３０４によって表される１つまたは複数のプロセッサおよび／またはハードウェアモジュールと、モジュール１２０４、１２０６、１２０８、および１２１０と、コンピュータ可読媒体／メモリ１３０６とを含む様々な回路を互いにリンクする。バス１３２４はまた、タイミングソース、周辺装置、電圧調整器、および電力管理回路など、様々な他の回路をリンクし得るが、これらの回路は当技術分野においてよく知られており、したがって、これ以上説明しない。
【００７９】
[0088]処理システム１３１４はトランシーバ１３１０に結合され得る。トランシーバ１３１０は、１つまたは複数のアンテナ１３２０に結合される。トランシーバ１３１０は、送信媒体を介して様々な他の装置と通信するための手段を提供する。トランシーバ１３１０は、１つまたは複数のアンテナ１３２０から信号を受信し、受信された信号から情報を抽出し、抽出された情報を処理システム１３１４に提供する。加えて、トランシーバ１３１０は、処理システム１３１４から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されると、処理システム１３１４に、任意の特定の装置のための上記で説明した様々な機能を実施させる。コンピュータ可読媒体／メモリ１３０６はまた、ソフトウェアを実行するときにプロセッサ１３０４によって操作されるデータを記憶するために使用され得る。処理システムは、モジュール１２０４、１２０６、１２０８、および１２１０のうちの少なくとも１つをさらに含む。それらのモジュールは、プロセッサ１３０４中で動作するか、コンピュータ可読媒体／メモリ１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ＵＥ６５０の構成要素であり得、メモリ６６０、ならびに／またはＴＸプロセッサ６６８、ＲＸプロセッサ６５６、およびコントローラ／プロセッサ６５９のうちの少なくとも１つを含み得る。
【００８０】
[0089]一構成では、ワイヤレス通信のための装置１２０２／１２０２’は、ＵＥであり、ビームスイープを実施するための周期性を示す情報を基地局から受信するための手段と、ビームスイープを実施するための周期性を調節するための手段とを含む。ビームスイープは、基地局またはＵＥのうちの一方による、複数の異なる送信空間的方向での、ビームの複数の送信、および基地局またはＵＥのうちの一方に対する他方による、複数の異なるスキャン空間的方向での、ビーム送信の複数のスキャンである。ＵＥは、調節された周期性でビームスイープを実施するための手段をさらに含む。一構成では、ビームスイープを実施するための手段は、基地局にｎ個のビームを送信するように構成される。各ビームは、ＵＥのｎ個の異なる送信空間的方向のうちの１つの送信空間的方向において送信される。一構成では、ビームスイープを実施するための手段は、基地局からのｍ個のビームを求めてスキャンするように構成される。各ビームは、基地局のｍ個の異なる送信空間的方向のうちの、ある異なる送信空間的方向に関連付けられる。一構成では、ＵＥは、前のビームスイープに基づいて、基地局とＵＥとの間のチャネル品質を測定するための手段と、チャネル品質を示す情報を基地局に送るための手段とを含む。情報は、管理ノードに向けられる。周期性を示す受信情報は、送られたチャネル品質を示す情報に基づく。一構成では、ビームスイープは第１のネットワークにおいて実施され、ＵＥは、第２のネットワークからタイミング情報を取得するための手段をさらに含む。第１のネットワークは、第２のネットワークよりも高いキャリア周波数を有する。そのような構成において、ＵＥは、第２のネットワークから取得したタイミング情報に基づいて、ビームスイープのタイミングを同期させるための手段をさらに含む。
【００８１】
[0090]上述の手段は、上述の手段によって列挙される機能を実施するように構成された、装置１２０２、および／または装置１２０２’の処理システム１３１４の上述のモジュールのうちの１つまたは複数であり得る。上述されたように、処理システム１３１４は、ＴＸプロセッサ６６８と、ＲＸプロセッサ６５６と、コントローラ／プロセッサ６５９とを含む場合がある。したがって、一構成では、上述の手段は、上述の手段によって具陳された機能を実施するように構成された、ＴＸプロセッサ６６８、ＲＸプロセッサ６５６、およびコントローラ／プロセッサ６５９であり得る。
【００８２】
[0091]開示したプロセス／フローチャートにおけるブロックの特定の順序または階層は、例示的な手法の一例であることを理解される。設計選好に基づいて、プロセス／フローチャートにおけるブロックの特定の順序または階層は並べ替えられ得ることを理解される。さらに、いくつかのブロックは組み合わせられるかまたは省略され得る。添付の方法クレームは、様々なブロックの要素を例示的な順序で提示したものであり、提示された特定の順序または階層に限定されることを意図しない。
【００８３】
[0092]以上の説明は、当業者が本明細書で説明する様々な態様を実践できるようにするために提供される。これらの態様への様々な変更は当業者には容易に明らかであり、本明細書で定義した一般的原理は他の態様に適用され得る。したがって、特許請求の範囲は、本明細書に示された態様に限定される意図はなく、クレーム文言に矛盾しない全範囲を与えられるべきであり、ここにおいて、単数形の要素への言及は、そのように明記されていない限り、「唯一無二の」を意味する意図はなく、「１つまたは複数の」を意味するものである。「例示的」という単語は、本明細書では「例、事例、または例示の働きをすること」を意味するために使用される。「例示的」として本明細書において説明されるいずれの態様も、必ずしも他の態様よりも好ましいか、または有利であると解釈されるとは限らない。別段に明記されていない限り、「いくつかの」という用語は１つまたは複数を指す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣであり得、任意のそのような組合せは、Ａ、Ｂ、またはＣのうちの１つまたは複数のメンバを含み得る。当業者に知られている、または後に知られることになる、本開示全体にわたって説明された様々な態様の要素のすべての構造的および機能的等価物は、参照により本明細書に明確に組み込まれ、特許請求の範囲に包含されることを意図する。さらに、本明細書に開示されるものは、そのような開示が特許請求の範囲において明示的に列挙されているかどうかにかかわらず、公に供されることは意図されていない。いかなるクレーム要素も、その要素が「ための手段」という句を使用して明確に記載されていない限り、ミーンズプラスファンクションとして解釈されるべきではない。
以下に本願発明の当初の特許請求の範囲に記載された発明を付記する。
［Ｃ１］
基地局のワイヤレス通信の方法であって、
ビームスイープを実施するための周期性を調節すること、前記ビームスイープは、前記基地局またはユーザ機器（ＵＥ）のうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
ビームスイープを実施するための前記調節された周期性を示す情報を送ることと、
前記調節された周期性で前記ビームスイープを実施することと
を備える、方法。
［Ｃ２］
前記ビームスイープは、第１のネットワークにおいて実施され、前記調節された周期性を示す前記情報は、第２のネットワークにおいて送られ、前記第１のネットワークは、前記第２のネットワークよりも高いキャリア周波数を有する、
Ｃ１に記載の方法。
［Ｃ３］
前記調節された周期性を示す前記情報は、前記第２のネットワークを介してシステム情報として送られる、
Ｃ２に記載の方法。
［Ｃ４］
前記基地局は、ＵＥにサービスし、前記周期性は、前記ＵＥのチャネル品質に基づいて調節され、前記方法は、前記ＵＥと前記基地局との間の前記チャネル品質を決定することをさらに備え、前記周期性は、前記チャネル品質がしきい値未満であるとき、前記ビームスイープを実施する前記周期性を増大させることによって調節される、
Ｃ１に記載の方法。
［Ｃ５］
前記基地局は、ＵＥにサービスし、前記周期性は、前記ＵＥのチャネル品質に基づいて調節され、前記方法は、前記ＵＥと前記基地局との間の前記チャネル品質を決定することをさらに備え、前記周期性は、前記チャネル品質がしきい値よりも大きいとき、前記ビームスイープを実施する前記周期性を低下させることによって調節される、
Ｃ１に記載の方法。
［Ｃ６］
前記周期性は、前記ＵＥのハンドオフ状態に基づいて調節され、前記方法は、前記基地局がハンドオフ中に別の基地局からＵＥを受け入れているとき、前記ビームスイープを実施する前記周期性を増大させることをさらに備える、
Ｃ１に記載の方法。
［Ｃ７］
前記周期性は、前記ＵＥのハンドオフ状態に基づいて調節され、前記方法は、前記基地局がハンドオフ中に別の基地局から前記ＵＥを正常に受け入れた後、前記ビームスイープを実施する前記周期性を低下させることをさらに備える、
Ｃ１に記載の方法。
［Ｃ８］
前記周期性は、前記基地局が、ＵＥにサービスする可能性があり得る基地局のセットに関連付けられているかどうかに基づいて調節され、前記方法は、前記基地局が、ＵＥにサービスする可能性があり得る基地局のいずれかのセットに関連付けられているとき、前記ビームスイープを実施する前記周期性を増大させることをさらに備える、
Ｃ１に記載の方法。
［Ｃ９］
前記周期性は、前記基地局が、ＵＥにサービスする可能性があり得る基地局のセットに関連付けられているかどうかに基づいて調節され、前記方法は、前記基地局が、いずれかのＵＥにサービスを提供するための基地局のどのセットにも関連付けられていないとき、前記ビームスイープを実施する前記周期性を低下させることをさらに備える、
Ｃ１に記載の方法。
［Ｃ１０］
前記基地局は、ＵＥのセットにサービスし、前記ビームスイープを前記実施することは、前記ＵＥセットにｍ個のビームを送信することを備え、各ビームは、前記基地局のｍ個の異なる送信空間的方向のうちの１つの送信空間的方向において送信される、
Ｃ１に記載の方法。
［Ｃ１１］
前記基地局は、ＵＥにサービスし、前記ビームスイープを前記実施することは、前記ＵＥからのｎ個のビームをスキャンすることを備え、各ビームは、前記ＵＥのｎ個の異なる送信空間的方向のうちの、ある異なる送信空間的方向に関連付けられる、
Ｃ１に記載の方法。
［Ｃ１２］
前のビームスイープに基づいて、前記ＵＥと前記基地局との間のチャネル品質を測定することと、
前記チャネル品質を示す情報を管理ノードに送ることと、
それに合わせて調節するべき前記周期性を示す情報を前記管理ノードから受信すること、前記周期性を示す前記情報は、前記測定されたチャネル品質に基づき、前記周期性は、前記周期性を示す前記受信情報に基づいて調節される、と
をさらに備える、Ｃ１１に記載の方法。
［Ｃ１３］
前記ビームスイープは、第１のネットワークにおいて実施され、前記方法は、
第２のネットワークからタイミング情報を取得すること、前記第１のネットワークは、前記第２のネットワークよりも高いキャリア周波数を有する、と、
前記第２のネットワークから取得された前記タイミング情報に基づいて、前記ビームスイープのタイミングを同期させることと
をさらに備える、Ｃ１に記載の方法。
［Ｃ１４］
ユーザ機器（ＵＥ）のワイヤレス通信の方法であって、
ビームスイープを実施するための周期性を示す情報を基地局から受信することと、
前記ビームスイープを実施するための前記周期性を調節すること、前記ビームスイープは、前記基地局または前記ＵＥのうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記調節された周期性で前記ビームスイープを実施することと
を備える、方法。
［Ｃ１５］
前記ビームスイープは、第１のネットワークにおいて実施され、前記調節された周期性を示す前記情報は第２のネットワークにおいて受信され、前記第１のネットワークは、前記第２のネットワークよりも高いキャリア周波数を有する、
Ｃ１４に記載の方法。
［Ｃ１６］
前記調節された周期性を示す前記情報は、前記第２のネットワークを介してシステム情報として受信される、
Ｃ１５に記載の方法。
［Ｃ１７］
前記ビームスイープを前記実施することは、前記基地局にｎ個のビームを送信することを備え、各ビームは、前記ＵＥのｎ個の異なる送信空間的方向のうちの１つの送信空間的方向において送信される、
Ｃ１４に記載の方法。
［Ｃ１８］
前記ビームスイープを前記実施することは、前記基地局からのｍ個のビームを求めてスキャンすることを備え、各ビームは、前記基地局のｍ個の異なる送信空間的方向のうちの、ある異なる送信空間的方向に関連付けられる、
Ｃ１４に記載の方法。
［Ｃ１９］
前のビームスイープに基づいて、前記基地局と前記ＵＥとの間のチャネル品質を測定することと、
前記チャネル品質を示す情報を前記基地局に送ること、前記情報は管理ノードに向けられ、前記周期性を示す前記受信情報は、前記チャネル品質を示す前記送られた情報に基づく、と
をさらに備える、Ｃ１８に記載の方法。
［Ｃ２０］
前記ビームスイープは第１のネットワークにおいて実施され、前記方法は、
第２のネットワークからタイミング情報を取得すること、前記第１のネットワークは、前記第２のネットワークよりも高いキャリア周波数を有する、と、
前記第２のネットワークから取得された前記タイミング情報に基づいて、前記ビームスイープのタイミングを同期させることと
をさらに備える、Ｃ１４に記載の方法。
［Ｃ２１］
ワイヤレス通信のための装置であって、前記装置は、基地局であり、
ビームスイープを実施するための周期性を調節するための手段、前記ビームスイープは、前記基地局またはユーザ機器（ＵＥ）のうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
ビームスイープを実施するための前記調節された周期性を示す情報を送るための手段と、
前記調節された周期性で前記ビームスイープを実施するための手段と
を備える装置。
［Ｃ２２］
前記ビームスイープは第１のネットワークにおいて実施され、前記調節された周期性を示す前記情報は第２のネットワークにおいて送られ、前記第１のネットワークは前記第２のネットワークよりも高いキャリア周波数を有する、
Ｃ２１に記載の装置。
［Ｃ２３］
前記基地局はＵＥのセットにサービスし、前記ビームスイープを前記実施するための手段は、前記ＵＥセットにｍ個のビームを送信するように構成され、各ビームは、前記基地局のｍ個の異なる送信空間的方向のうちの１つの送信空間的方向において送信される、
Ｃ２１に記載の装置。
［Ｃ２４］
前記基地局は、ＵＥにサービスし、前記ビームスイープを実施するための前記手段は、前記ＵＥからのｎ個のビームをスキャンするように構成され、各ビームは、前記ＵＥのｎ個の異なる送信空間的方向のうちの、ある異なる送信空間的方向に関連付けられる、
Ｃ２１に記載の装置。
［Ｃ２５］
前のビームスイープに基づいて、前記ＵＥと前記基地局との間のチャネル品質を測定するための手段と、
前記チャネル品質を示す情報を管理ノードに送るための手段と、
それに合わせて調節するべき前記周期性を示す情報を前記管理ノードから受信するための手段と、前記周期性を示す前記情報は前記測定されたチャネル品質に基づき、前記周期性は、前記周期性を示す前記受信情報に基づいて調節される、をさらに備える、
Ｃ２４に記載の装置。
［Ｃ２６］
前記ビームスイープは、第１のネットワークにおいて実施され、前記装置は、
第２のネットワークからタイミング情報を取得するための手段、前記第１のネットワークは前記第２のネットワークよりも高いキャリア周波数を有する、と、
前記第２のネットワークから取得された前記タイミング情報に基づいて、前記ビームスイープのタイミングを同期させるための手段と
をさらに備える、Ｃ２１に記載の装置。
［Ｃ２７］
ワイヤレス通信のための装置であって、前記装置はユーザ機器（ＵＥ）であり、
ビームスイープを実施するための周期性を示す情報を基地局から受信するための手段と、
前記ビームスイープを実施するための前記周期性を調節するための手段、前記ビームスイープは、前記基地局または前記ＵＥのうちの一方による、複数の異なる送信空間的方向での、ビームの複数の送信、および前記基地局または前記ＵＥのうちの前記一方に対する他方による、複数の異なるスキャン空間的方向での、前記ビーム送信の複数のスキャンである、と、
前記調節された周期性で前記ビームスイープを実施するための手段と
を備える、装置。
［Ｃ２８］
前記ビームスイープは、第１のネットワークにおいて実施され、前記調節された周期性を示す前記情報は第２のネットワークにおいて受信され、前記第１のネットワークは、前記第２のネットワークよりも高いキャリア周波数を有する、
Ｃ２７に記載の装置。
［Ｃ２９］
前記ビームスイープを前記実施するための手段は、前記基地局からのｍ個のビームを求めてスキャンするように構成され、各ビームは、前記基地局のｍ個の異なる送信空間的方向のうちの、ある異なる送信空間的方向に関連付けられる、
Ｃ２７に記載の装置。
［Ｃ３０］
前のビームスイープに基づいて、前記基地局と前記ＵＥとの間のチャネル品質を測定するための手段と、
前記チャネル品質を示す情報を前記基地局に送るための手段と、前記情報は管理ノードに向けられ、前記周期性を示す前記受信情報は、前記チャネル品質を示す前記送られた情報に基づく、をさらに備える、
Ｃ２９に記載の装置。
【図１】
0006672179.tif 000002
【図２】
0006672179.tif 000003
【図３】
0006672179.tif 000004
【図４】
0006672179.tif 000005
【図５】
0006672179.tif 000006
【図６】
0006672179.tif 000007
【図７】
0006672179.tif 000008
【図８】
0006672179.tif 000009
【図９】
0006672179.tif 000010
【図１０】
0006672179.tif 000011